(57)【要約】  本発明は、心理学の分野に関し、心理状態及び依存状態の心理学的矯正並びに態度変化を目的とする方法での社会的行動の矯正で使用される。提案される道具セットは、心地よい古典的条件付けのために使用され、人の認知情報−視覚、聴覚、触覚、嗅覚、味覚、論理的思考、運動感覚による全ての感覚チャネルを使って実行される。そのため、人の認知に関する全感覚系統は、自己生成訓練プロセスに関与され、古典的条件付けの最大効果が達成される。心理学的サポートの提供で使用される、態度変化のための古典的条件付け道具セットは、少なくとも一つの香味食品添加物、少なくとも一つのエッセンシャル芳香オイル、熱伝導性を変えることを伴う少なくとも一つの鉱物、リスニング用の自己生成訓練文章、選択される態度変化の暗示的方式を含む画像、運動感覚的興奮の方式を含む画像、及び道理に基づく信念の方式を含む画像を備え、全ての道具は、患者に心地よい感情を呼び起こす。道具は、単一の容器に結合される。心理学的サポートの提供に使用される古典的条件付け道具セットは、道具の使用説明書を備える。心理学的サポートの提供に使用される古典的条件付け道具セットは、エッセンシャル芳香オイルを使用するための付属品を備える。【特許請求の範囲】
【請求項１】
少なくとも一つの香味食品添加物と、
少なくとも一つのエッセンシャル芳香オイルと、
熱伝導性を変えることを伴う少なくとも一つの鉱物と、
音声リスニングのための自己生成訓練文章と、
態度を変えるための選択された暗示的方式を含む画像と、
を含むことを特徴とする心理学的サポートを提供する際に態度を変えるための古典的条件付け道具セットにおいて、
前記道具セットは、
運動感覚的興奮の方式を含む画像と、
言語的説得の方式を含む画像と、
を備え、
全ての道具は、患者に心地よい感情を呼び起こす、
心理学的サポートを提供する際に態度を変えるための古典的条件付け道具セット。
【請求項２】
前記道具は、単一の容器に結合される、請求項１に記載の心理学的サポートを提供する際に態度を変えるための古典的条件付け道具セット。
【請求項３】
前記道具セットは、前記道具セットに含まれる道具の使用説明書を備える、請求項１に記載の心理学的サポートを提供する際に態度を変えるための古典的条件付け道具セット。
【請求項４】
前記道具セットは、前記エッセンシャル芳香オイルを使用するための付属品を備える、請求項１に記載の心理学的サポートを提供する際に態度を変えるための古典的条件付け道具セット。
【発明の詳細な説明】
【技術分野】
【０００１】
本発明は、心理学の分野に関し、心理状態及び依存状態の心理学的矯正並びに態度変化を目的とする方法での社会的行動の矯正で使用される。
【背景技術】
【０００２】
心理状態や依存状態の矯正のための様々な方法が知られ、心理学者は、人の感覚認知系統（human sensory perception system）における個々の特質を見極めるために患者を検査する。そうすることにより、患者の感覚優先傾向、すなわち心地よい感情を呼び起こす道具（tool）が、見極められる。これらの道具セットは、態度変化プロセスにおける人の感覚認知系統の関与を最大化するために設けられ、その結果として、心理学的サポートを提供するプロセスの有効性を高める。
【０００３】
例えば、ペロリ（pelori）及び／又は薔薇及び／又はビャクダン及び／又はラベンダーのようなエッセンシャルオイルのような芳香剤を含む香りの良い円形模様と、ベートーベン及び／又はサン・サーンスの作品のような音楽要素とを備えた心理学的サポートの際の態度変化のための道具セットを特徴とする、Ａ６１Ｍ  ２１／００に属する２００２年に公表されたロシア国特許２１８０２４２号公報の発明の詳細な説明を参照されたい。
【０００４】
その既知の技術的解決法において、前記道具セットは、情報認知の二つの感覚チャネル、すなわち嗅覚及び聴覚チャネルに関する癒し作用を提供する方法として使用される。
【０００５】
更に、カラー画像、エッセンシャルオイルを含むアロマランプ、及び音楽要素からなる道具セットを特徴とするＡ６１Ｍ  ２１／００に属する２００８年に公表されたロシア国特許２３１５６３３号公報が知られる。
【０００６】
その既知の技術的解決法において、前記道具セットは、情報認知の三つの感覚チャネル、すなわち嗅覚、聴覚、及び視覚チャネルに関する癒し作用を提供する方法として使用される。
【０００７】
試作品のような最も近い類似体は、Ａ６１Ｍ  ２１／００に属する２０１６年に公表されたロシア国特許２５９０８６０号で述べられ、香味食品添加物、芳香エッセンシャルオイル、熱伝導性を変える鉱物、音声リスニングのための自己生成訓練文章、及び選ばれた暗示的方式（chosen suggestive formula）を含む写真を備えた、心理学的サポートの際、問題のある態度の変化のための道具セットであると考えられる。
【０００８】
その試作品は、情報認知の五つの感覚チャネル、すなわち嗅覚、聴覚、視覚、触覚、及び味覚チャネルに関する態度を変化させるための道具セットを用いる。その試作品において、前記道具は、認知の感覚チャネルの刺激として用いられる。
【先行技術文献】
【特許文献】
【０００９】
【特許文献１】ロシア国特許２１８０２４２号公報
【特許文献２】ロシア国特許２３１５６３３号公報
【特許文献３】ロシア国特許２５９０８６０号公報
【発明の概要】
【発明が解決しようとする課題】
【００１０】
心理学的サポートを提供する際、問題のある態度を前向きな態度に変えるための古典的条件付け道具セットを創出する問題は、古典的条件付けプロセスを体系化し、その有効性を高めることである。
【課題を解決するための手段】
【００１１】
その技術的趣旨は、古典的条件付けの目的のため、及び自己生成訓練プロセスへの認知に関する人の感覚系統全体を含むための道具を使用することである。
【００１２】
その技術的趣旨は、心理学的サポートを提供する際、問題のある態度を前向きな態度に変えるための古典的条件付け道具セットが、少なくとも一つの香味食品添加物、少なくとも一つの芳香エッセンシャルオイル、少なくとも一つの鉱物、音声リスニングのための自己生成訓練文章（autogenic training text）、問題のある態度を前向きに変えるための暗示的方式（suggestive formula）を含む画像を含み、前記態度を変えるために選ばれた暗示的方式を含む第一の画像は、運動感覚的興奮（kinaesthetic sensations）で対象にされる一以上の言語的表現（linguistic phrases）を含み、第二の画像は、新たな態度を形成する言語的説得（linguistic persuasions）の方式を含み、全ての道具は、患者に心地よい感情を呼び起こす、とする事実によって達成される。
【００１３】
前記道具は、単一の容器に結合される。前記道具セットは、道具セットに含まれる道具の使用に関する説明書を含む。前記道具セットは、芳香エッセンシャルオイルの使用のための付属品を含む。
【００１４】
提案される道具セットは、心地よい古典的条件付けのために使用され、それは、人の情報認知に関する全ての感覚チャネル、すなわち視覚、聴覚、触覚、嗅覚、味覚、論理的思考、運動感覚チャネルを使って実行される。人の認知に関する全ての感覚系統は、自己生成の訓練プロセスに関連し、古典的条件付けの最大効率の原理は、実行される。
【００１５】
心理状態及び依存状態の矯正コースにおいて、心理学者は、認知の人感覚系統に関する個々の特質を見極めるために患者を検査し、それにより、患者の感覚優先傾向、すなわち七つの情報認知感覚チャネルを使った心地よい感情を呼び起こす道具を突き止める。得られた情報は、全感覚の心地よい古典的条件付けのプロセスを開発するために使用される。このプロセスを実行し、態度変化のプロセスにそれを取り込むため、例えば、続く道具セットが提案される。
【発明を実施するための形態】
【００１６】
エッセンシャルオイル及びアロマランプのようなそれらの使用のための付属品のセット。エッセンシャルオイルは、精神診断中の患者によって選択され、室内で持続する芳香を作るために使用される。この道具は、情報認知に関する嗅覚感覚チャネルを使って心地よい感情を作る。
【００１７】
自己生成訓練文章及び文章聞き取り用のオーディオプレーヤー。前記文章は、患者自身の声によりオーディオプレーヤーを使用して録音され、それから、例えば毎日聞かれる。それは、情報認知に関する聴覚感覚チャネルを使って心地よい感情を作る。
【００１８】
態度を変えるために選ばれた暗示的方式を含む画像は、精神診断に基づき見極められた設計に従って作成され、暗示的方式の言語的表現を含む画像である。患者は、色やテキストの書体の他に、精神診断中、患者自身により彼にとって最も心地よい特定の画像を選択する。暗示的方式は、新たな態度を形成する一以上の言語的表現である。この道具は、自己生成訓練プロセスへの情報認知に関する視覚感覚チャネルを含む。
【００１９】
運動感覚的興奮の方式を含む画像。それは、精神診断に基づき見極められ、運動感覚的興奮を目的とする一以上の言語的表現を含む設計、検査中に見極められた特徴に従って作成された画像である。患者は、色やテキストの書体の他に、精神診断中、患者自身により彼にとって最も心地よい特定の画像を選択する。それは、情報認知に関する運動感覚チャネルを使って心地よい感情を作る。それは、自己生成訓練プロセスへの情報認知に関する運動感覚チャネルを含む。
【００２０】
言語的説得（linguistic persuasions）の方式を含む画像。それは、精神診断に基づき見極められた設計に従って作成される画像である。患者は、精神診断中、自身によって前記設計を選択する。それは、検査に基づき形成され、心地よい論理的成果（reasoning conclusions）に関する自己生成訓練中、患者の注目に集中する言語的表現に基づく。それは、情報認知に関する論理的感覚チャネルを使って心地よい感情を作る。それは、自己生成訓練プロセスへの情報認知に関する論理的感覚チャネルを含む。
【００２１】
強烈な味（strong taste）を有する食品添加物。それは、患者を心地よくする食品添加物であり、例えば、長期間心地よい味覚効果を引き起こすキャンディーである。それは、精神診断中に決められる。それは、自己生成訓練の文章を聞く際、患者によって使用される。それは、味覚チャネルを使って心地よい感情を作る。
【００２２】
種々の触覚的興奮を提供する鉱物。それらは、種々の形状の鉱物である。患者は、精神診断中に鉱物を選択する。自己生成訓練の文章を聞く際、鉱物は、患者によって保持される。それらは、情報認知に関する触覚チャネルを使った心地よい感情を作る。
【００２３】
道具の説明書は、自己生成訓練中、道具セット全体の利用の順序を説明するテキストである。
【００２４】
異なる心理情報及び依存状態のため、並びに社会的行動の変化中の道具セットの使用例。
【００２５】
心理学的の状態矯正における、提案されたセットの使用例。
【００２６】
患者は、１４歳の息子との関係で攻撃的（aggressive）な３８歳の女性である。遠隔的検査方法は、攻撃的行動の原因となる態度を診断するために使用された。感覚認知系統の精神診断及び感覚優先傾向の診断が実行された。各感覚認知系統に関し、心地良い古典的条件付けのための道具が選択された。問題のある態度を前向きな態度へ変えるための自己生成訓練の文章が起草された。全感覚の古典的条件付けのための道具セットは、構築され、患者に提供された。全感覚の古典的条件付けのための道具セットの補助を伴う自己生成訓練コースは、患者の心理状態における著しい改善が起こった後、１０日続いた。
【００２７】
心理依存状態の場合における、提案された道具セットの使用例。
【００２８】
患者は、４５歳の男性である。補助の適用理由は、肥満である。患者の行動の精神診断が実行され、慢性過食に関する行動を特徴付ける態度であると見極められた。栄養摂取態度を抑えるために、問題のある過食態度を変えるための自己生成訓練の文章と、活動的な生活様式が起草された。感覚認知系統の精神診断が実行され、患者の感覚優先傾向が見極められた。診断データに基づき、自己生成訓練プロセスのために全感覚の古典的条件付けのための道具セットが構築された。患者は、自身で説明書を読み、自己生成訓練コースを過ごした。そのコースは、３６日間続いた。体重は、８ｋｇ近く減った。患者は、過食を止めようとし、日常の散歩と週末の遠出を含む活動的な生活様式を始めた。
【００２９】
社会的行動を変えるための道具セットの使用例。
【００３０】
補助を求められた十代（１３歳）の両親。補助を求める理由は、学校での衝突に関連する反社会的行動であった。検査方法は、精神診断を実行するために使用され、問題の行動態度が見極められた。問題のある態度を前向きなものに変えるための自己生成訓練の文章が起草された。感覚認知系統の診断が実行され、患者の感覚優先傾向が見極められた。診断に基づき、全感覚の古典的条件付けのための道具セットが構築され、十代の患者に提供された。自己生成訓練コースは、１６日間続いた。学校での衝突状況における急激な減少が、気付かれた。
【国際調査報告】
2019531845.tif 000002
2019531845.tif 000003